【事件の表示】
　特願２０１２−２４４９５６「眼底撮影装置」拒絶査定不服審判事件〔平成２６年　６月１９日出願公開、特開２０１４−１１０８２５、請求項の数（３）〕について、次のとおり審決する。
【結　論】
　原査定を取り消す。
　本願の発明は、特許すべきものとする。
【理　由】
第１  手続の経緯
　本願は、平成２４年１１月７日（優先権主張　平成２４年１１月６日）の出願であって、平成２８年９月１日付けで拒絶理由が通知され、同年１１月４日付けで意見書及び手続補正書が提出され、平成２９年４月１１日付けで拒絶査定されたところ、同年７月１８日に拒絶査定不服審判の請求がなされ、同時に手続補正がなされたものである。
第２　原査定の概要
　原査定（平成２９年４月１１日付け拒絶査定）の概要は次のとおりである。
＜理由１＞　請求項１−３に係る発明は、以下の引用文献２−６に記載された発明に基づいて、その発明の属する技術の分野における通常の知識を有する者（以下、「当業者」という。）が容易に発明できたものであるから、特許法第２９条第２項の規定により特許を受けることができない。
引用文献等一覧
１．特開平６−２６１８６２号公報
２．特開２０１０−２５９５４３号公報
３．特開平１−３０２４７４号公報
４．特開平３−８１８７９号公報
５．特開２０００−１３１６４０号公報
６．特開２０１１−１９１４５４号公報
 （なお、引用文献１は、平成２８年９月１日付けの拒絶理由で引用されたが、原査定では引用されていない。）
第３　本願発明
　本願請求項１−３に係る発明（以下、それぞれ「本願発明１」−「本願発明３」という。）は、平成２９年７月１８日付けの手続補正で補正された特許請求の範囲の請求項１−３に記載された事項により特定される、以下のとおりの発明である。（下線は、当該補正により変更された箇所を示す。）
「 　【請求項１】
　光源から出射された光によって被検眼の眼底上の局所領域を走査するための光スキャナと、前記局所領域における各走査位置に関して前記眼底からの光を検出するための検出器と、を有し、前記局所領域を撮像するための眼底撮像光学系と、
　前記眼底撮像光学系の光路中に配置され前記光源からの光を偏向する光偏向手段を有し、前記眼底撮像光学系によって撮像される前記局所領域の位置を、前記局所領域の画角よりも広い範囲で前記光偏向手段を駆動制御することにより、上下左右に変更する撮像位置変更手段と、
　前記撮像位置変更手段によって設定される前記局所領域を撮影範囲とする眼底画像を、前記検出器からの受光信号を処理して取得する画像処理手段と、を備え、
　前記画像処理手段は、
前記撮像位置変更手段によって設定された前記局所領域の位置情報を取得し、
　　【請求項２】
　前記画像処理手段は、
　前記眼底画像の歪みを補正する際、
　前記眼底画像における各画素の座標を変位させることにより前記眼底画像の歪みを補正する画像処理手段であって、
　前記各画素の座標の変位量は、　前記眼底撮像光学系に配置された少なくとも１つの光学部材による歪が生じていないと仮定した場合の前記眼底画像の座標位置と、実際に取得された前記眼底画像の座標位置との変位量に基づいて、前記撮像位置変更手段によって設定される前記局所領域における前記光スキャナの各走査位置に関してそれぞれ設定されている請求項１の眼底撮影装置。
　　【請求項３】
　前記画像処理手段は、
　前記眼底撮像光学系の光軸から、前記撮像位置変更手段によって設定される前記局所領域までの距離に応じて、前記眼底画像の歪みを補正する請求項１又は２の眼底撮影装置。」
第４　引用文献・引用発明等
１　引用文献２について
　原査定の拒絶の理由に引用された引用文献２（特開２０１０−２５９５４３号公報）には、次の事項が記載されている。（下線は当審で付したものである。以下同じ。）
（引２ａ）「　【０００８】
　本発明の実施の形態を図面を用いて説明する。図１は、本実施形態の眼底撮影装置の光学系を示した模式図である。本実施形態の
眼底撮影装置は、
被検眼Ｅの眼底を高解像度（高分解能）・高倍率で撮影するための第１撮影ユニット１００、第１撮影ユニット１００で得られる眼底画像
の撮影位置を指定するための眼底の観察画像
を得るための第２撮影ユニット２００
を備える。
　【０００９】
　
第１撮影ユニット１００は、被検眼Ｅに照明光（照明光束）を照射し眼底を２次元的に照明する第１照明光学系と、眼底に照射された照明光の反射光（反射光束）を受光して第１眼底画像を得るための第１撮影光学系と
を備える。
　【００１０】
　
第１照明光学系は、眼底を照明するための照明光を出射する光源１
照明光（スポット光）を眼底上で２次元的に走査する走査部２０を有する。
　【００１１】
　はじめに、
第１照明光学系
光源１から眼底に到るまでの光路には
照明光を眼底上で２次元的に走査するための走査部２０
２次元状に走査される照明光の走査位置を補正するための偏向部４００
レンズ１１
が配置される。
　【００１２】
　光源１から出射された照明光は、レンズ２により平行光とされた後、ビームスプリッタ３を介し、本実施形態では偏光板４によりＳ偏光成分のみの光束とされる。偏光板４を経た照明光は、レンズ５により一旦集光し、ビームスプリッタ７１を介してレンズ６により平行光束とされ、波面補償デバイス７２に入射する。波面補償デバイス７２にて反射した照明光は、レンズ７、レンズ８によりリレーされ、走査部２０に向かう。
　【００１３】
　走査部２０は、照明光を眼底上で２次元的に走査する構成とされ、ここでは、図示するように、眼底でＸＹ方向に照明光を走査する。本実施形態では、照明光を眼底にて水平方向（Ｙ方向）に偏向させ走査するための偏向部材となるレゾナントミラーと、水平方向の走査方向に対して垂直方向（Ｘ方向）に偏向させ走査するための偏向部材となるガルバノミラーと、各ミラーを駆動する駆動部を備える。走査部２０を経た照明光は、レンズ９にて再び集光される。偏向部４００は、走査部２０を経た照明光を水平方向及び垂直方向に対して所定量だけさらに偏向させる役目を持ち、本実施形態では２枚のガルバノミラーにより構成されている。偏向部４００を経た照明光は、視度補正部１０、レンズ１１、ビームスプリッタ９０を経て被検眼Ｅの眼底に集光し、走査部２０によって眼底上を２次元的に走査することとなる。なお、視度補正部１０は一方のプリズムが図示する矢印方向に移動することにより、光路長を変えることができ、視度補正の役目を果たしている。、また、ビームスプリッタ９０は、本実施形態ではダイクロイックミラーであり、後述する第２撮影ユニット２００、及びトラッキング用ユニット３００からの光束を反射させ、光源１及び後述する光源７６からの光束を透過させる特性を持つ。なお、光源１及び光源７６の出射端と被検眼Ｅとは共役とされている。このようにして、照明光を眼底に２次元的に照射する第１照明光学系が形成される。
　【００１４】
　次に、第１撮影光学系を説明する。
第１撮影光学系は、
受光素子５４を含む。
　【００１５】
　光源１から出射された照明光における眼底からの反射光は、前述した第１照明光学系を逆に辿り、偏光板４にてＳ偏光の光だけ透過された後、ビームスプリッタ３により一部の光束が反射される。この反射光は、レンズ５１を介してピンホール板５２のピンホールに焦点を結ぶ。ピンホールにて焦点を結んだ反射光は、レンズ５３を経て受光素子５４に受光される。なお、照明光の一部は角膜上で反射されるが、ピンホール板５２により大部分が除去され、角膜反射の画像への悪影響が低減される。このため、受光素子５４は、角膜反射の影響を抑えて、眼底からの反射光を受光できる。なお、ビームスプリッタ３は、ホールミラーとされてもよい。この場合、ホールミラーのホールは、角膜反射光を第１撮影光学系に入射することを抑制する。
　【００１６】
　このようにして、第１撮影光学系が形成される。
第１撮影光学系で受光された処理された画像が第１眼底画像となる。
　【００１７】
　次に、波面補償部（補償光学系）を説明する。前述のように、波面補償部は、一部の光学素子を第１照明光学系の光路上に持ち、第１照明光学系と光路を一部共用している。波面補償部は、波面センサ７３、偏光板７４、光源７６、レンズ７７、偏光板７８、レンズ７９、を含み、第１照明光学系の光路上に置かれるビームスプリッタ７１からビームスプリッタ９０までの光学部材を共用することにより構成されている。なお、波面センサ７３は、多数のマイクロレンズからなるマイクロレンズアレイと、マイクロレンズアレイを透過した光束を受光させるための２次元受光素子からなる。また、収差検出用光源（第３光源）である光源７６は、光源１と異なる赤外域の光を発する光源とされる。本実施形態では光源７６は波長７８０ｎｍのレーザ光を出射するレーザダイオードを用いている。光源７６から出射したレーザ光は、レンズ７７により平行光束とされ、偏光板７８により光源１からの照明光と直交する偏光方向（Ｐ偏光）とされ、ビームスプリッタ７５により第１照明光学系の光路に導かれる。なお、レンズ７、８の間に眼底共役位置があり、光源７６の出射端はこの眼底共役位置と共役な関係とされる。なお、ビームスプリッタ７５は、本実施形態ではハーフミラーとされている。偏光板７８は、眼底へと照射される第３光源の光を所定の偏光方向とする役割を持ち、波面補償部が備える第１偏光手段の役割を持つ。
　【００１８】
　ビームスプリッタ７５により反射したレーザ光は、第１照明光学系の光路を経て被検眼Ｅの眼底に集光される。底で反射されたレーザ光は、第１照射光学系の各光学部材を経て波面補償デバイス７２にて反射し、ビームスプリッタ７１により第１照明光学系の光路から外れ、レンズ７９、Ｓ偏光成分のみを通す偏光板７４を経て波面センサ７３へと導かれる。偏光板７４は、波面補償部に備えられた第２偏光手段であり、眼底へと照射される第３光源の光が持つ偏光方向（Ｐ偏光光）を遮断し、この偏光方向に直交する偏光方向（Ｓ偏光光）を透過し、波面センサ７３へと導光する役割を持つ。なお、ビームスプリッタ７１は、光源１の波長の光（８４０ｎｍ）を透過し、収差検出用の光源７６の波長の光（７８０ｎｍ）を反射する特性とされる。従って、波面センサ７３では、照射したレーザ光の眼底での散乱光のうちＳ偏光成分を持つ光が検出される。このようにして、角膜や光学素子で反射される光が波面センサ７２に検出されることを抑制している。また、走査部２０、波面補償デバイス７２の反射面、及び波面センサ７３のマイクロレンズアレイは、被検眼の瞳と略共役とされる。また、波面センサ７３の受光面は被検眼Ｅの眼底と略共役とされる。波面センサ７３には、低次収差及び波面収差等の高次収差が検出できる素子、例えば、ハルトマンシャック検出器や光強度の変化を検出する波面曲率センサ等を用いる。
　【００１９】
　また、波面補償デバイス７２は、例えば、液晶空間位相変調器とし、反射型のＬＣＯＳ（Liquid Crystal On Silicon）等を用いるものとしている。なお、波面補償デバイス７２は、光源１からの照明光（Ｓ偏光光）、照明光の眼底での反射光（Ｓ偏光光）、波面収差検出用光の反射光（Ｓ偏光成分）等の所定の直線偏光（Ｓ偏光）に対して収差を補償することが可能な向きに配置される。これにより、波面補償デバイス７２は、入射する光のＳ偏光成分を変調できる。また、波面補償デバイス７２は、その液晶層内の液晶分子の配列方向が入射する反射光の偏光面と略平行であり、さらに、液晶分子が液晶層への印加電圧の変化に応じて回転する所定の面が、波面補償デバイス７２に対する眼底からの反射光の入射光軸及び反射光軸と、波面補償デバイス７２が持つミラー層の法線と、を含む平面に対して略平行になるように、配置されている。
　【００２０】
　このような波面補償部（補償光学系）によって、波面センサ７３で検出した光源７６の眼底反射光の波面収差に基づいて、波面補償デバイス７２が制御され、光源７６の反射光のＳ偏光成分と共に、光源１から出射される照明光とその反射光の波面収差が取り除かれる。このようにして、光源１から出射された照明光とその反射光が持つ収差が取り除かれる。言い換えると、被検眼Ｅの波面収差が取り除かれた（波面補償された）高解像度の第１眼底画像が得られることとなる。このような第１眼底画像は、狭画角（１．５度程度）でありながら、１画像を構築するのに必要とする画素数を従来の広画角（例えば４０度程度）の眼底画像と同程度となるように照明光の走査を行い、さらに波面補償を行っているため、細胞レベルまで観察することのできる高解像度・高倍率な眼底画像となっている。
　【００２１】
　なお、第１撮影ユニット１００で取得された眼底画像は、第１眼底画像として記憶部に記憶される。
　【００２２】
　次に、第２撮影ユニット２００を説明する。
第２撮影ユニットは、第１撮影ユニットの画角よりも広画角の眼底画像（第２眼底画像）を取得するためのユニットであり、取得される第２眼底画像は、前述した狭画角の第１眼底画像を得るための位置指定、及び位置確認用の画像として用いられ
　【００２３】
　第２撮影ユニット２００は、眼底を照明する照明光を出射する第２光源２１０、照明光束を眼底において２次元的に走査するための走査部２２０等を有し、眼底を２次元的に照明する第２照明光学系２３０と、第２照明光学系２３０により照明された眼底からの反射光を受光する受光素子２５１を有し眼底画像を撮影する第２撮影光学系２５０を備える。
　【００２４】
　第２撮影ユニット２００の光軸は、走査部２０と被検眼の間に配置されたビームスプリッタ９０により、第１撮影ユニット１００の光軸と略同軸とされる。本実施形態では、第２撮影ユニット２００の光軸は、第１撮影ユニット１００の光軸と被検者眼の手前で同軸とされる。この角度は、第２撮影ユニット２００に入射する角膜反射を低減するように定められる。ビームスプリッタ９０は、光源１及び光源７６の波長の光を透過し、第２光源２１０及び後述するトラッキング用ユニット３００の光源の波長の光を反射する特性とされる。また、ビームスプリッタ９０と第２撮影ユニット２００との間の光路には、第２撮影ユニット２００の光軸と後述するトラッキング用ユニット３００の光軸とを同軸にするためのビームスプリッタ９１、及び偏向部４００と同機能を有する偏向部４１０が配置されている。
　【００２５】
　第２光源２１０は、赤外域の光とされ、例えば、波長が９１０ｎｍのレーザ光を出射するレーザダイオードとされる。走査部２２０は、前述と同様にＸ方向、Ｙ方向にレーザ光を偏向（反射）するミラーを備える。第２撮影ユニット２００で得られる眼底画像の画角が第１撮影ユニット１００の画角よりも大きくなるように走査部２２０のミラーの振れ角を定める。本実施形態では、第２眼底画像は、眼底の特徴部を取得するために、眼底の広い範囲、特に黄斑部と乳頭を同時に撮影できる程度の画角を持つ構成とされ、画角は、２０〜６０度程度とされる。本実施形態では、画角３５度とされる。
　【００２６】
　第２光源から出射されたレーザ光は、第２照明光学系２３０を経て、第２撮影ユニット２００から出射され、ビームスプリッタ９１、偏向部４１０を通過し、ビームスプリッタ９０にて反射することにより、被検眼Ｅの眼底に集光する。被検眼Ｅの眼底に集光したレーザ光は、走査部２２０の駆動により眼底を広い範囲で２次元的に走査される。眼底からの反射光は第２撮影光学系２５０の受光素子２５１に受光され、広画角の眼底画像（第２眼底画像）が得られる。
　【００２７】
　なお、本実施形態では第２照明光学系２３０の走査部２２０を用いて眼底を２次元的に走査し照明するものとしているが、これに限るものではなく。ライン状に形成されるスリット光をラインと直交する方向に走査する構成としてもよいし、ホールミラー等を用いた既存の眼底カメラの照明光学系を用いることもできる。
　【００２８】
　このようにして、第２撮影ユニット２００が形成される。第２撮影ユニット２００で撮影された眼底画像は、第２眼底画像として記憶部に記憶される。」
（引２ｂ）「　【００３０】
　次に、眼底撮影装置の制御系を説明する。図２は、本実施形態の眼底撮影装置の制御系を示したブロック図である。装置全体の制御を行う制御部８０には、光源１、走査部２０、受光素子５１、波面補償デバイス７２、波面センサ７３、光源７６、光源２１０、走査部２２０、受光素子２５１、トラッキング用ユニット３００、偏向部４００、偏向部４１０、視度補正部１０が接続される。また、記憶部８１、コントロール部８２、画像処理部８３、モニタ８５、が接続される。
画像処理部８３は受光素子５１
にて受光した信号に基づき
第１眼底画像
を形成する表示制御を行う
　【００３１】
　また、本実施形態では、制御部８０は、波面センサ７３からの信号に基づいて、第１光源１から照明光を出射する制御を行う。具体的には、光源７６の眼底反射光を、波面センサ７３で受光し、受光結果を制御部８０に送る。制御部８０は眼底反射光の波面収差に基づいてされ波面補償デバイス７２を駆動し、収差を取り除くように制御する。制御部８０は、眼底反射光の波面収差が取り除かれた結果（補償結果）に基づいて光源１から照明光を出射するように制御を行う。なお、波面収差を補償した結果の判断には、所定の閾値を設けておく。これにより、波面補償を受ける前から被検眼Ｅに対して光源１の照明光を照射することがないため、観察、撮影に適さない状態の第１眼底画像が生成されることがない。このため、無駄となる光源１の照明光の出射を抑制でき、被検眼Ｅが無用な照明光に曝されることがない。また、光源１で消費される電力を抑えることができる。
　【００３２】
　なお、無駄な光を被検眼に入射させないために、さらに第２撮影ユニット２００で撮影された第２眼底画像のアライメント状態が適切でない間は、制御部８０が第１光源１及び光源７６から照明光を出射させない制御を行ってもよい。例えば、第２眼底画像のフォーカス状態（眼底に対するＺ方向のアライメント）を用いて、制御部８０がアライメント状態を判定する構成とする。また、制御部８０が、第２眼底画像のアライメント状態に基づいてトラッキング用ユニット３００の光源３１０から照明光を出射させる構成としてもよい。なお、本実施形態では、第２撮影ユニット２００にて被検眼の前眼部を撮影し、モニタ８５に表示することにより、装置のアライメントを行う構成とする。
　【００３３】
　以上のような構成の眼底撮影装置において、その動作について説明する。図３は、モニタ８５の表示を説明する模式図である。検者は図示なき固視灯を用いて被検眼Ｅを固視させ、被検眼Ｅに対して図示なきジョイスティック等を用いて装置をアライメントする。このとき、コントロール部８２の操作により視度補正部１０を駆動し、被検眼Ｅの視度補正を行う。アライメントでは、第２撮影ユニット２００による第２眼底画像５２０がモニタ８５の所定領域に表示されており、検者はモニタ８５の観察画面枠に表示される観察画像（第２眼底画像５２０）を見ながら、アライメントを完了させる。アライメント完了後、検者はコントロール部８２を用いてトラッキング用ユニット３００を動作させる指令信号の入力を行う。制御部８０は、この指令信号を受けてトラッキング用ユニット３００からレーザ光を出射させ、被検眼Ｅの眼底上にトラッキング指標を形成させる。またこのとき制御部８０は、眼底のトラッキング指標の形成位置に対応する第２眼底画像５２０上（観察画面枠内）の位置にトラッキング指標と同形状のレチクル６００を表示させる。検者は第２眼底画像５２０上に形成されたレチクル６００を見ながら、装置や固視灯を適宜動かし、観察画面枠に写っている被検眼Ｅの乳頭がレチクル６００に重なるように位置調整を行う。
　【００３４】
　観察画面枠に表示されているレチクル６００と第２眼底画像５２０の乳頭とが重なった状態で、検者はコントロール部８２を用いてトラッキング開始の指令信号を制御部８０に送る。制御部８０はトラッキング開始の指令信号を受けて、トラッキング用ユニット３００、偏向部４００，４１０を駆動させて被検眼Ｅのトラッキングを開始する。
　【００３５】
　図４及び図５は、本実施形態におけるトラッキングの方法を示した模式図である。図４（ａ）は、第２眼底画像５２０に表示されている乳頭にレチクル６００が重なった状態を説明するための模式図であり、眼底の乳頭にトラッキング指標Ｔが重なった状態を示している。同様に、図５（ａ）は、眼底の乳頭からトラッキング指標Ｔが外れた状態を示している。また、図４（ｂ）、図５（ｂ）では、それぞれの状態でのトラッキング指標Ｔの輝度分布を模式的に示した図である。
　【００３６】
　トラッキングを開始してから被検眼Ｅが動いていない状態を示す。また、被検眼Ｅが固視微動等により動いてしまうと、図５（ａ）に示すように乳頭とトラッキング指標Ｔとがずれることとなる。乳頭に完全に重なった状態でのトラッキング指標Ｔの反射光は、全体的に輝度が高い状態（図４（ｂ）参照）でトラッキング用ユニット３００の受光素子に受光される。一方、図５（ａ）に示すようにトラッキング指標Ｔの一部の領域が乳頭から外れていると、図５（ｂ）に示すように外れた一部の領域の輝度は低くなる。
　【００３７】
　トラッキング用ユニット３００では、トラッキング開始時に得られた受光結果を基準情報として制御部８０に送っておき、その後、１走査毎（走査によるリング形成毎）に得られる受光結果（受光情報）を逐次、制御部８０に送信する。制御部８０は基準情報に対してその後に得られた受光情報を比較し、基準情報と同じ受光情報が得られるように、言い換えればトラッキング指標全体を乳頭に重ねるための移動位置情報を演算により求める。制御部８０は求めた移動位置情報に基づいて偏向部４１０を駆動させる。また、偏向部４００も制御部８０により偏向部４１０と同期して駆動される。
　【００３８】
　このようなトラッキングを行うことにより、被検眼Ｅが微動してもその動きが相殺されるように偏向部４００，４１０の駆動が行われるため、モニタ８５に表示される眼底画像の動きは抑制されることとなる。
　【００３９】
　トラッキングが開始された後、制御部８０は、光源７６、走査部２０、波面補償デバイス７２、波面センサ７３を駆動し、被検眼の波面収差を補正する。
　【００４０】
　制御部８０は、波面センサ７３にて得られる光学的な分布（受光信号）から得られる結果に基づいて補償光学系を動的に制御する。本実施形態では、波面補償デバイス７２が持つ液晶パネル（液晶層）を用い、眼底からの反射光の回折像の拡がり具合が最小となるように、液晶パネルの液晶分子を電圧制御により配列方向を変え、位相分布を制御する。
　【００４１】
　そして、波面収差の補正が終わると第１眼底画像の撮影が開始される。制御部８０は、波面センサ７３からの信号（受光結果）に基づいて、光源１、受光素子５１を駆動する。光源１から出射された照明光は、偏光板４でＳ偏光とされ、波面補償デバイス７２で変調を受ける。そして、走査部２０により２次元的に走査され、被検眼に照射された照明光は眼底に集光される。
　【００４２】
　眼底に集光した照明光の反射光は、走査部２０を介して逆に光路を辿り、波面補償デバイス７２の変調を受け、偏光板４を透過した後、ビームスプリッタ３で反射（偏向）され撮影光学系５０へと導かれる。反射光は、レンズ５２にてピンホール板５３のピンホールに集光され、レンズ５３にて受光素子５１に入射される。受光素子５１の受光結果に基づいて画像処理部８３がモニタ８５に第２眼底画像５２０と第１眼底画像５３０とを並べて表示する。
　【００４３】
　図６は第１眼底画像５３０と第２眼底画像５２０とがモニタ８５の各観察画面枠に表示された状態を示す図である。第２眼底画像５２０は眼底の広い範囲を表示する観察画像であるのに対して、
第１眼底画像５３０は狭い画角であり、細胞レベルの観察が行える高倍率な眼底画像が
表示される。
　【００４４】
　また、
第２眼底画像５２０における異なる領域（撮影箇所）を観察したい場合には、コントロール部８２を操作して、第２眼底画像５２０を表示するマーク６１０を
移動させ
制御部８０は第２眼底画像５２０上に形成されているマーク６１０の移動位置に対応する走査部２０の走査条件を求める。制御部８０は求めた走査条件に基づいて走査部２０を駆動制御し、
移動後のマーク６１０に対応する第１眼底画像５３０ａをモニタ８５に表示させる。
　【００４５】
　このようにして、解像度の高い眼底画像（第１眼底画像）を得つつ、画角の広い眼底画像を用いることで、解像度の高い眼底画像の撮影位置の把握がしやすくなる。」
　ここで、当審において、段落【００３０】及び段落【００４２】における「受光素子５１」が「受光素子５４」の誤記であることは、引用文献２の段落【００１５】及び【図１】等の記載等から明らかである。
（引２ｃ）引用文献２の【図１】には、次の図が記載されている。
（引２ｄ）引用文献２の【図６】には、次の図が記載されている。
　段落【００４３】−【００４４】を参照して、図６を見ると、
マーク６１０は、第１眼底画像５３０の画角より広い範囲で第２眼底画像５２０上を上下左右に移動可能である
　これらの記載を総合すると、上記引用文献２には、次の発明（以下、「引用発明」という。）が記載されていると認められる。
「　被検眼Ｅの眼底を高解像度（高分解能）・高倍率で撮影するための第１撮影ユニット１００、第１撮影ユニット１００で得られる眼底画像の撮影位置を指定するための眼底の観察画像を得るための第２撮影ユニット２００を備える眼底撮影装置であって、
　第１撮影ユニット１００は、被検眼Ｅに照明光（照明光束）を照射し眼底を２次元的に照明する第１照明光学系と、眼底に照射された照明光の反射光（反射光束）を受光して第１眼底画像を得るための第１撮影光学系と、を備え、
　第１照明光学系は、眼底を照明するための照明光を出射する光源１と、照明光を眼底上で２次元的に走査するための走査部２０とを有し、
　第１照明光学系の光源１から眼底に到るまでの光路には、前記走査部２０と、２次元状に走査される照明光の走査位置を補正するための偏向部４００と、レンズ１１とが配置され、
　第１撮影光学系は、受光素子５４を含み、
　第１撮影光学系で受光されて処理された画像が第１眼底画像５３０となり、
　第２撮影ユニット２００は、第１撮影ユニットの画角よりも広画角の眼底画像（第２眼底画像）を取得するためのユニットであり、取得される第２眼底画像は、狭画角の第１眼底画像を得るための位置指定、及び位置確認用の画像として用いられ、
　第２眼底画像５２０における異なる領域（撮影箇所）を観察したい場合には、コントロール部８２を操作して、第２眼底画像５２０上に表示するマーク６１０を移動させ、制御部８０は第２眼底画像５２０上に形成されているマーク６１０の移動位置に対応する走査部２０の走査条件を求め、制御部８０は求めた走査条件に基づいて走査部２０を駆動制御し、移動後のマーク６１０に対応する第１眼底画像５３０ａをモニタ８５に表示させ、
　マーク６１０は、第１眼底画像の画角より広い範囲で第２眼底画像５２０上を上下左右に移動可能であり、
　画像処理部８３は受光素子５４にて受光した信号に基づき第１眼底画像を形成する表示制御を行い、
　第１眼底画像５３０は狭い画角であり、細胞レベルの観察が行える高倍率な眼底画像である、
　眼底撮影装置。」
２　引用文献３について
　原査定の拒絶の理由に引用された引用文献３（特開平１−３０２４７４号公報）には、眼底カメラ１によって撮影された眼底画像の画像信号がデータ処理部３に入力され、データ処理部３では眼底カメラ１に固有のデータメモリ４に記憶している歪曲収差データに基づいて画像歪の補正がなされテレビモニタ６に歪曲収差が補正された眼底画像を表示される装置であり、データ処理部３による歪補正は、各光軸高さつまり画像中心からの半径ｒの位置に対応して、歪曲収差により生ずる径線方向の変位Δｒを予め測定又は計算しておき、これらを歪曲収差データとしてデータメモリ４等に格納しておき、データ処理の際にデジタル画像信号の位置情報を変位Δｒ分だけ補正する方法によるものが開示されている。（引用文献３の第２頁左上欄第２０行−右上欄第１５行を参照。）
３　引用文献４について
　原査定の拒絶の理由に引用された引用文献４（特開平３−８１８７９号公報）には、眼底カメラの撮像画像の持っている光軸を中心とした同心円状の歪み（歪曲収差）を補正することが開示されている。（引用文献４の第２頁左下欄第３行−同欄第７行参照）
４　引用文献５について
　原査定の拒絶の理由に引用された引用文献５（特開２０００−１３１６４０号公報）には、画像表示装置１１が表示した画像を眼底に直接に結像させる虚像視画像表示装置において、マイクロレンズ６４によって生じる歪曲収差を補正する技術が開示されている。（引用文献５の段落【００５０】−【００５１】を参照。）
５　引用文献６について
　原査定の拒絶の理由に引用された引用文献６（特開２０１１−１９１４５４号公報）には、微弱な光を高速で走査しながら観察者の網膜１０ｂに照射することで、網膜１０ｂ上に走査された光の残像を映像として観察者に認識させる網膜走査型の画像表示装置（ＲＳＤ１）において、画像光が網膜１０ｂ上で結像することで形成される画像に関し、光学系の歪みを補正する技術が開示されている。（引用文献６の段落【００１９】及び【００６４】を参照。）
６　引用文献１について
　引用文献１（特開平６−２６１８６２号公報）には、レーザー光源１からのレーザー光は、第１光走査手段４と、第２光走査手段８Ｍによって２次元的に走査され、偏心対物ミラー１３を介して、被検眼眼底１４ｂに投射され、被検眼眼底１４ｂからの反射拡散光は、投影時と同一の光学系を通過し、受光素子１８に検出され、眼底像が表示される、レーザー走査型眼科撮像装置が開示されている。（引用文献１の段落【００３２】−【００３９】を参照。）また、同文献には、対物ミラーが偏心していることにより台形状の歪曲収差が発生すること、及びそれを補正する技術が開示されている。（引用文献１の段落【００６７】−【００７０】を参照。）
第５　対比・判断
１　対比
　以下、本願発明１と引用発明とを対比する。
（１）引用発明の「光源１」は、本願発明１の「光源」に相当する。また、引用発明の「照明光」は、光源１から出射されたものであるから、本願発明１の「光源から出射された光」に相当する。
（２）引用発明の「第１眼底画像」は「狭い画角であり、細胞レベルの観察が行える高倍率な眼底画像が表示される」ものであるから、本願発明１の「眼底上の局所領域」を撮影したものに相当する。よって、引用発明において、「走査部２０」は「眼底上の局所領域を走査」しているものと認められる。すると、引用発明の「照明光を眼底上で２次元的に走査するための走査部２０」は、本願発明１の「光源から出射された光によって被検眼の眼底上の局所領域を走査するための光スキャナ」に相当する。
（３）引用発明の「第１眼底画像」を形成する信号を受光する「受光素子５４」は、本願発明１の「前記局所領域における各走査位置に関して前記眼底からの光を検出するための検出器」に相当する。
（４）引用発明の「受光素子５４を含」む「第１撮影ユニット１００」は、本願発明１の「前記局所領域を撮像するための眼底撮像光学系」に相当する。
（５）引用発明の「第１照明光学系の光源１から眼底に到るまでの光路には、前記走査部２０」「が配置され」ることは、本願発明１の「前記眼底撮像光学系の光路中に配置され前記光源からの光を偏向する光偏向手段を有」することに相当する。そして、引用発明では、「コントロール部８２を操作して、第２眼底画像５２０上に形成されているマーク６１０を」「第１眼底画像５３０の画角よりも広い範囲で第２眼底画像５２０上を上下左右に」「移動させ、制御部８０は第２眼底画像５２０上に形成されているマーク６１０の移動位置に対応する走査部２０の走査条件を求め、制御部８０は求めた走査条件に基づいて走査部２０を駆動制御し、移動後のマーク６１０に対応する第１眼底画像５３０ａをモニタ８５に表示させ」るものである。よって、引用発明の「コントロール部８２」、「制御部８０」及び「走査部２０」は、本願発明１の「前記眼底撮像光学系の光路中に配置され前記光源からの光を偏向する光偏向手段を有し、前記眼底撮像光学系によって撮像される前記局所領域の位置を、前記局所領域の画角よりも広い範囲で前記光偏向手段を駆動制御することにより、上下左右に変更する撮像位置変更手段」に相当する。
（６）引用発明の「受光素子５４にて受光した信号に基づき第１眼底画像を形成する表示制御を行」う「画像処理部８３」は、本願発明１の「前記撮像位置変更手段によって設定される前記局所領域を撮影範囲とする眼底画像を、前記検出器からの受光信号を処理して取得する画像処理手段」に相当する。
（７）よって、本願発明１と引用発明とは、以下の点で一致する。
「光源から出射された光によって被検眼の眼底上の局所領域を走査するための光スキャナと、前記局所領域における各走査位置に関して前記眼底からの光を検出するための検出器と、を有し、前記局所領域を撮像するための眼底撮像光学系と、
　前記眼底撮像光学系の光路中に配置され前記光源からの光を偏向する光偏向手段を有し、前記眼底撮像光学系によって撮像される前記局所領域の位置を、前記局所領域の画角よりも広い範囲で前記光偏向手段を駆動制御することにより、上下左右に変更する撮像位置変更手段と、
　前記撮像位置変更手段によって設定される前記局所領域を撮影範囲とする眼底画像を、前記検出器からの受光信号を処理して取得する画像処理手段と、を備える、
　眼底撮影装置。」
　また、本願発明１と引用発明とは、以下の点で相違する。
（相違点１）画像処理手段が、本願発明１においては、「前記撮像位置変更手段によって設定された前記局所領域の位置情報を取得し、前記眼底画像の歪みであって前記局所領域の位置毎に異なる歪みを、前記撮像位置変更手段によって設定された前記局所領域の位置情報に基づいて補正する」ものであるのに対して、引用発明においては、そのようなものであることは特定されていない点。
２　判断
（１）本願発明１について
　前記相違点１について検討する。
　引用文献３及び引用文献４に開示される技術は、光ビームの走査を行わない眼底カメラでの眼底の撮影において、撮影画像の歪みの原因となる歪曲収差を補正するものである。このような歪曲収差の補正は、撮影画像全体で行われるものであり、本願発明１のように、眼底の局所領域を光ビームで走査し各走査位置に関して眼底からの光を検出器にて検出する際の光学的な歪みを補正するものとは異なる技術であるといえる。
　引用文献５に開示される技術は、画像表示装置１１が表示した画像を眼底に直接に結像させる虚像視画像表示装置においてマイクロレンズ６４によって生じる歪曲収差を補正するものである。また、引用文献６に開示される技術は、微弱な光を高速で走査しながら観察者の網膜１０ｂに照射することで、網膜１０ｂ上に走査された光の残像を映像として観察者に認識させる網膜走査型の画像表示装置において画像光が網膜１０ｂ上で結像することで形成される画像の光学系の歪みを補正するものである。しかし、引用文献５及び引用文献６に開示される技術は、画像表示装置に関するものであって、本願発明１のように、走査される照明光と撮像対象からの反射光とが同じ光路を逆向きに辿る撮影装置に関するものではなく、技術分野が異なる。
　したがって、引用文献３−４に開示される技術を参照しても、当業者が前記相違点１に係る本願発明１の発明特定事項を容易に想到することはできない。
　また、引用文献５−６は、本願発明１の当業者が参照するものではなく、仮に参照したとしても、前記相違点１に係る本願発明１の発明特定事項を容易に想到することはできない。
　よって、本願発明１は、引用発明及び引用文献３−６に開示される技術事項に基づいて当業者が容易に想到し得たものであるとはいえない。
　また、引用文献１には、対物ミラーの偏心により発生した台形状の歪曲収差を補正する技術について開示されている。しかし、引用発明における第１撮影光学系中には、対物ミラーが存在しないから、引用発明において対物ミラーの偏心により発生した台形状の歪曲収差は存在しない。よって、引用発明に対して、引用文献１に開示される対物ミラーの偏心により発生した歪曲収差を補正する技術を適用する動機付けは無い。
　したがって、本願発明１は、引用発明及び引用文献１に開示される技術事項に基づいて当業者が容易に想到し得たものであるとはいえない。
（２）本願発明２−３
　本願発明２−３は、本願発明１の発明特定事項をすべて有するものである。よって、本願発明２−３は、本願発明１と同じ理由により、引用発明及び引用文献３−６に開示された技術事項に基づいて、又は、引用発明及び引用文献１に開示された技術事項に基づいて、当業者が容易に発明できたものであるとはいえない。
第６　結び
　以上のとおり、本願発明１−３は、特許法第２９条第２項の規定により、特許を受けることができないものとはいえないから、原査定の理由によっては、本願を拒絶することはできない。
　また、他に本願を拒絶すべき理由を発見しない。
　よって、結論のとおり審決する。